(57)【要約】【課題】製造にかかる手間やコストを抑えつつ厚さの調整を容易に行うことができ、使用者それぞれに適合した寝心地の良い寝具及びクッションを提供する。【解決手段】非通気性の袋体２と、袋体２に設けられて袋体２の内外の空気流通を開閉する吸排気弁と、袋体２の内部空間に、袋体２の最大容量に対して圧縮された状態で詰め込まれた複数の弾性発泡体５とを備える。袋体２は、吸排気弁によって空気流通を開放した状態とすることにより内部空間に空気が流入して厚くなり、空気流通を開放した状態で袋体２に外力を付与することによって内部空間から空気が流出して薄くなることにより厚さ調整可能となっており、複数の弾性発泡体５は、袋体２が最大容量となったときに、その体積が圧縮比１．５〜５．８に圧縮された状態になるように袋体２に詰め込まれている。【選択図】図２
2016123545.tif 000002
【特許請求の範囲】
【請求項１】
非通気性の袋体と、
前記袋体に設けられて前記袋体の内外の空気流通を開閉する開閉部と、
前記袋体の内部空間に、前記袋体の最大容量に対して圧縮された状態で詰め込まれた複数の弾性発泡体と、を備え、
前記袋体は、前記開閉部によって空気流通を開放した状態とすることにより前記内部空間に空気が流入して厚くなり、前記空気流通を開放した状態で前記袋体に外力を付与することによって前記内部空間から空気が流出して薄くなることにより厚さ調整可能となっており、
複数の前記弾性発泡体は、前記袋体が最大容量となったときに、その体積が圧縮比１．５〜５．８に圧縮された状態になるように前記袋体に詰め込まれている、
寝具。
【請求項２】
非通気性の袋体と、
前記袋体に設けられて前記袋体の内外の空気流通を開閉する開閉部と、
前記袋体の内部空間に、前記袋体の最大容量に対して圧縮された状態で詰め込まれた複数の弾性発泡体と、を備え、
前記袋体は、前記開閉部によって空気流通を開放した状態とすることにより前記内部空間に空気が流入して厚くなり、前記空気流通を開放した状態で前記袋体に外力を付与することによって前記内部空間から空気が流出して薄くなることにより厚さ調整可能となっており、
単位時間当たりに薄くなる量を表す凹み速度が０．６２ｃｍ／ｓ以上且つ２．００ｃｍ／ｓ以下となっており、且つ、
単位時間当たりに厚くなる量を表す戻り速度が０．２９ｃｍ／ｓ以上且つ０．７３ｃｍ／ｓ以下となっている、
寝具。
【請求項３】
前記袋体の内部空間を仕切るマチ部を備え、
前記弾性発泡体は、前記マチ部によって仕切られた領域のそれぞれに圧縮された状態で詰め込まれており、
前記マチ部は、前記内部空間の空気が前記領域間で流通する通気部を有する、
請求項１又は２に記載の寝具。
【請求項４】
前記弾性発泡体は、直方体状となっている、
請求項１〜３のいずれか一項に記載の寝具。
【請求項５】
前記弾性発泡体は、一辺の長さが３ｍｍ以上且つ１００ｍｍ以下の立方体状となっている、
請求項１〜４のいずれか一項に記載の寝具。
【請求項６】
前記開閉部は、前記袋体から突出すると共に回転操作が可能となっており、
前記開閉部が一方向に回転されると前記空気流通が開放され、前記開閉部が前記一方向とは反対の他方向に回転されると前記空気流通が閉塞される、
請求項１〜５のいずれか一項に記載の寝具。
【請求項７】
前記袋体を覆う布製の側地を備える、
請求項１〜６のいずれか一項に記載の寝具。
【請求項８】
前記側地は、内袋を有し、
前記内袋の内部には、複数の粒状体が収容される、
請求項７に記載の寝具。
【請求項９】
非通気性の袋体と、
前記袋体に設けられて前記袋体の内外の空気流通を開閉する開閉部と、
前記袋体の内部空間に、前記袋体の最大容量に対して圧縮された状態で詰め込まれた複数の弾性発泡体と、を備え、
前記袋体は、前記開閉部によって空気流通を開放した状態とすることにより前記内部空間に空気が流入して厚くなり、前記空気流通を開放した状態で前記袋体に外力を付与することによって前記内部空間から空気が流出して薄くなることにより厚さ調整可能となっており、
複数の前記弾性発泡体は、前記袋体が最大容量となったときに、その体積が圧縮比１．５〜５．８に圧縮された状態になるように前記袋体に詰め込まれている、
クッション。
【請求項１０】
非通気性の袋体と、
前記袋体に設けられて前記袋体の内外の空気流通を開閉する開閉部と、
前記袋体の内部空間に、前記袋体の最大容量に対して圧縮された状態で詰め込まれた複数の弾性発泡体と、を備え、
前記袋体は、前記開閉部によって空気流通を開放した状態とすることにより前記内部空間に空気が流入して厚くなり、前記空気流通を開放した状態で前記袋体に外力を付与することによって前記内部空間から空気が流出して薄くなることにより厚さ調整可能となっており、
単位時間当たりに薄くなる量を表す凹み速度が０．６２ｃｍ／ｓ以上且つ２．００ｃｍ／ｓ以下となっており、且つ、
単位時間当たりに厚くなる量を表す戻り速度が０．２９ｃｍ／ｓ以上且つ０．７３ｃｍ／ｓ以下となっている、
クッション。
【発明の詳細な説明】
【技術分野】
【０００１】
本発明は、使用者の身体を乗せる寝具及びクッションに関する。
【背景技術】
【０００２】
寝具は、使用者の身体が乗せられて変形することにより、使用者をリラックスさせることを可能としている。特に、枕は、使用者の頭部と頸部とが乗せられて、頭部及び頸部と敷き寝具との間に介在することにより、使用者の身体を自然な形とし、使用者を楽に休ませる機能を発揮する。また、人が真っ直ぐ立っているときの背骨の形状は緩やかなＳ字状となっており、睡眠時もこの背骨の形状を維持することが理想的とされている。従って、使用者が真っ直ぐ立っているときの頭部及び頸部等の形状を予め測定し、この測定結果を用いて使用者に適合した枕を製造することが従来から行われている。
【０００３】
また、特開２００８−１１３７８９号公報には、袋状且つ非通気性の膜体内にポリウレタン等からなる弾性発泡体を収容することによって構成された弾褥体が記載されている。弾褥体とは、弾力性のある寝具を示しており、枕、クッション又は敷き布団等の総称である。弾性発泡体は弾力性を有する発泡体であって、弾性発泡体としては繊維塊又は粒状物集合体等が用いられる。また、袋状の膜体には、内部に空気を出し入れ可能な吸排気弁が設けられている。上記公報に記載された弾褥体では、吸排気弁を開放することによって厚さが調整されるようになっており、吸排気弁を閉塞することにより厚さが維持されるようになっている。
【先行技術文献】
【特許文献】
【０００４】
【特許文献１】特開２００８−１１３７８９号公報
【発明の概要】
【発明が解決しようとする課題】
【０００５】
前述したように、頭部及び頸部等の測定結果を用いて使用者に適合した寝具を製造する場合には、使用者それぞれに適合した寝心地の良い寝具を提供することが可能となる。しかしながら、この場合には、使用者の特性に応じて寝具を一つ一つ手作業で製造する必要があるため、寝具の製造に手間がかかっておりコストが高いという事情がある。
【０００６】
一方、前述した公報に記載された寝具では、吸排気弁の開閉によって厚さが調整されるので、使用者によって寝具の厚さを調整することが可能となっている。しかしながら、この寝具は、膜体内に弾性発泡体が収容されるだけの構造となっているため、吸排気弁の開放によって寝具の厚さが急激に変化する。すなわち、寝具が急激に厚くなったり薄くなったりするため厚さの微調整が難しく、寝具が使用者にとって最適な厚さとなっているか否かがわかりにくい。従って、使用者が厚さ調整機能を有効利用できないので、結果的に寝心地の良い寝具を提供できていないという事情もある。
【０００７】
本発明は、製造にかかる手間やコストを抑えつつ厚さの調整を容易に行うことができ、使用者それぞれに適合した寝心地の良い寝具及びクッションを提供することを課題とする。
【課題を解決するための手段】
【０００８】
本発明の一側面に係る寝具は、非通気性の袋体と、袋体に設けられて袋体の内外の空気流通を開閉する開閉部と、袋体の内部空間に、袋体の最大容量に対して圧縮された状態で詰め込まれた複数の弾性発泡体と、を備え、袋体は、開閉部によって空気流通を開放した状態とすることにより内部空間に空気が流入して厚くなり、空気流通を開放した状態で袋体に外力を付与することによって内部空間から空気が流出して薄くなることにより厚さ調整可能となっており、複数の弾性発泡体は、袋体が最大容量となったときに、その体積が圧縮比１．５〜５．８に圧縮された状態になるように袋体に詰め込まれている。
【０００９】
本発明の一側面に係る寝具では、使用者が自分で開閉部を操作することによって寝具の厚さを所望の厚さとすることができる。従って、使用者の特性に応じた寝具の製造が不要となるため、寝具の製造にかかる手間とコストを抑えることができる。更に、本発明の一側面に係る寝具では、複数の弾性発泡体は、袋体が最大容量となったときに、その体積が圧縮比１．５〜５．８に圧縮された状態となるように詰め込まれている。よって、袋体に外力を付与して寝具を薄くするときには、圧縮された複数の弾性発泡体による反発力が発生する。このように袋体に外力を付与したときに弾性発泡体による反発力が発生するので、寝具をゆっくりと薄くすることができる。また、袋体の内部に空気を流入させて寝具を厚くするときには、流入した空気が圧縮された弾性発泡体の間を通ってゆっくりと袋体の内部空間に入っていく。従って、袋体の内部空間への空気の流入をゆっくりと行うことができるので、寝具をゆっくりと厚くすることができる。以上のように、寝具をゆっくりと薄くしたり厚くしたりすることができるので、厚さの微調整を容易に行うことができる。従って、寝具が使用者にとって最適な厚さとなっているか否かがわかりやすく使用者が厚さ調整機能を有効利用できるので、使用者それぞれに適合した寝心地の良い寝具を提供することができる。
【００１０】
本発明の別の側面に係る寝具は、非通気性の袋体と、袋体に設けられて袋体の内外の空気流通を開閉する開閉部と、袋体の内部空間に、袋体の最大容量に対して圧縮された状態で詰め込まれた複数の弾性発泡体と、を備え、袋体は、開閉部によって空気流通を開放した状態とすることにより内部空間に空気が流入して厚くなり、空気流通を開放した状態で袋体に外力を付与することによって内部空間から空気が流出して薄くなることにより厚さ調整可能となっており、単位時間当たりに薄くなる量を表す凹み速度が０．６２ｃｍ／ｓ以上且つ２．００ｃｍ／ｓ以下となっており、且つ、単位時間当たりに厚くなる量を表す戻り速度が０．２９ｃｍ／ｓ以上且つ０．７３ｃｍ／ｓ以下となっている。
【００１１】
本発明の別の側面に係る寝具では、使用者が自分で開閉部を操作して寝具の厚さを所望の厚さとすることができるので、前述の寝具と同様、製造にかかる手間とコストを抑えることができる。また、この寝具では、単位時間当たりに薄くなる量を表す凹み速度が０．６２ｃｍ／ｓ以上且つ２．００ｃｍ／ｓ以下となっており、単位時間当たりに厚くなる量を表す戻り速度が０．２９ｃｍ／ｓ以上且つ０．７３ｃｍ／ｓ以下となっている。ここで、仮に凹み速度が０．６２ｃｍ／ｓ未満又は戻り速度が０．２９ｃｍ／ｓ未満である場合には、速度が遅すぎるので寝具の厚さが調整されているのか否かがわかりにくい。また、凹み速度が２．００ｃｍ／ｓよりも速いか又は戻り速度が０．７３ｃｍ／ｓよりも速い場合には、速度が速すぎるので微調整が困難となり厚さ調整の操作が難しい。これに対し、本発明の別の側面に係る寝具では、凹み速度が０．６２ｃｍ／ｓ以上且つ２．００ｃｍ／ｓ以下、且つ、戻り速度が０．２９ｃｍ／ｓ以上且つ０．７３ｃｍ／ｓ以下となっているので、厚さの微調整を容易に行うことができ、使用者が自分で簡単に寝心地を良くすることができる。
【００１２】
また、袋体の内部空間を仕切るマチ部を備え、弾性発泡体は、マチ部によって仕切られた領域のそれぞれに圧縮された状態で詰め込まれており、マチ部は、内部空間の空気が領域間で流通する通気部を有してもよい。この場合、マチ部が袋体の内部空間を仕切っており、マチ部によって仕切られた領域のそれぞれに複数の弾性発泡体が圧縮された状態で詰め込まれる。従って、袋体に弾性発泡体が膨張する力が働くため、袋体は、マチ部を始点として膨らんだ形状となる。よって、使用者の身体が複数の膨らんだ部分に乗せられるので、使用者の寝心地を良くすることができる。また、マチ部が通気部を有することによって、マチ部によって仕切られた複数の領域間で空気が流通する。従って、空気を複数の領域間で行き渡らせることにより、複数の領域に対する寝具の厚さ調整が可能となる。
【００１３】
また、弾性発泡体は、直方体状となっていてもよい。このように弾性発泡体の形状を直方体状とすることにより、弾性発泡体の製造及び加工を容易に行うことができる。
【００１４】
また、弾性発泡体は、一辺の長さが３ｍｍ以上且つ１００ｍｍ以下の立方体状となっていてもよい。このように弾性発泡体の形状を立方体状とすることにより弾性発泡体の製造及び加工を一層容易に行うことができる。また、袋体に収容される弾性発泡体の一辺の長さを３ｍｍ以上且つ１００ｍｍ以下とすることにより、袋体の触感を良好にすることができると共に、弾性発泡体を袋体に収容する作業を効率よく行うことができる。
【００１５】
また、開閉部は、袋体から突出すると共に回転操作が可能となっており、開閉部が一方向に回転されると空気流通が開放され、開閉部が一方向とは反対の他方向に回転されると空気流通が閉塞されてもよい。このように開閉部を袋体から突出した形状にすると共に開閉部を回転操作可能とすることにより、片手で開閉部を掴んで回すだけで簡単に厚さ調整を行うことができる。また、使用者の身体の一部を寝具に乗せた状態で厚さ調整を行うことも可能となるので、寝具の厚さ調整を一層容易に行うことができる。
【００１６】
また、袋体を覆う布製の側地を備えてもよい。このように袋体が布製の側地に覆われることにより、使用者の身体は布製の側地に触れることになる。従って、内部の袋体の材料に拘わらず寝具の触感を良好にすることができる。また、側地を布製とすることにより寝具の通気性を良くすることができるので、寝具の使用時における蒸れを抑制することも可能となる。
【００１７】
また、側地は、内袋を有し、内袋の内部には、複数の粒状体が収容されてもよい。この場合、外側から側地を触ったときの触感を一層良好にすることができるので、寝心地の一層の向上に寄与する。
【００１８】
本発明の一側面に係るクッションは、非通気性の袋体と、袋体に設けられて袋体の内外の空気流通を開閉する開閉部と、袋体の内部空間に、袋体の最大容量に対して圧縮された状態で詰め込まれた複数の弾性発泡体と、を備え、袋体は、開閉部によって空気流通を開放した状態とすることにより内部空間に空気が流入して厚くなり、空気流通を開放した状態で袋体に外力を付与することによって内部空間から空気が流出して薄くなることにより厚さ調整可能となっており、複数の弾性発泡体は、袋体が最大容量となったときに、その体積が圧縮比１．５〜５．８に圧縮された状態になるように袋体に詰め込まれている。このクッションは、本発明の一側面に係る寝具と同様の構成を備えているので、当該寝具と同様の効果が得られる。
【００１９】
本発明の別の側面に係るクッションは、非通気性の袋体と、袋体に設けられて袋体の内外の空気流通を開閉する開閉部と、袋体の内部空間に、袋体の最大容量に対して圧縮された状態で詰め込まれた複数の弾性発泡体と、を備え、袋体は、開閉部によって空気流通を開放した状態とすることにより内部空間に空気が流入して厚くなり、空気流通を開放した状態で袋体に外力を付与することによって内部空間から空気が流出して薄くなることにより厚さ調整可能となっており、単位時間当たりに薄くなる量を表す凹み速度が０．６２ｃｍ／ｓ以上且つ２．００ｃｍ／ｓ以下となっており、且つ、単位時間当たりに厚くなる量を表す戻り速度が０．２９ｃｍ／ｓ以上且つ０．７３ｃｍ／ｓ以下となっている。このクッションは、本発明の別の側面に係る寝具と同様の構成を備えているので、当該寝具と同様の効果が得られる。
【発明の効果】
【００２０】
本発明によれば、製造にかかる手間やコストを抑えつつ厚さの調整を容易に行うことができ、使用者それぞれに適合した寝心地の良い寝具及びクッションを提供することができる。
【図面の簡単な説明】
【００２１】
【図１】第１実施形態に係る寝具の外観を示す斜視図である。
【図２】（ａ）は図１のIIA−IIA線断面図である。（ｂ）は弾性発泡体を示す斜視図である。（ｃ）はパイプ材を示す斜視図である。
【図３】袋体を示す斜視図である。
【図４】（ａ）は閉じた状態の開閉部を示す側面図である。（ｂ）は開いた状態の開閉部を示す側面図である。
【図５】（ａ）は側地を示す平面図である。（ｂ）は側地を示す底面図である。
【図６】（ａ）は第２実施形態に係る寝具の側地の表側を示す斜視図である。（ｂ）は（ａ）の側地の裏側を示す斜視図である。
【図７】（ａ）は第３実施形態に係るクッションの外観を示す斜視図である。（ｂ）は（ａ）のVIIB−VIIB線断面図である。
【図８】寝具の実験を説明する断面図であり、（ａ）は測定装置を乗せる直前の図、（ｂ）は測定装置を乗せて枕が沈みきった状態を示す図である。
【図９】圧縮比を変えて各種高さ、時間及び速度を測定した実験を纏めた図表である。
【図１０】圧縮比を変えて各種高さ、時間及び速度を測定した実験を纏めた図表である。
【発明を実施するための形態】
【００２２】
以下、図面を参照しながら本発明に係る寝具及びクッションの好適な実施形態について詳細に説明する。以下では、本発明に係る寝具の一例である枕１について説明する。
【００２３】
（第１実施形態）
図１に示されるように、本実施形態に係る枕１は、両サイドが盛り上がった形状を成しており、盛り上がった部分１ａ，１ｂの間に位置する凹んだ部分に使用者の頭部及び頸部が乗せられる。また、上記凹んだ部分は、手前から順に、頸部を乗せる部分１ｃと、後頭部を乗せる部分１ｄと、頭頂部を乗せる部分１ｅとに分けられている。両サイドの盛り上がった部分１ａ，１ｂは、横寝した使用者の顔を乗せる部分である。なお、枕１は左右対称となっているが、左右対称でなくてもよい。
【００２４】
また、枕１は空気を利用して枕１の高さを調整可能となっている。すなわち、枕１では、その内部に封入させる空気の量を調整することにより、厚さ調整可能となっている。枕１は、使用者の頭部及び頸部を乗せることによる沈み込みの高さ及び速さと、頭部及び頸部を外したときの戻りの高さ及び速さが調整されている。
【００２５】
以下の説明では、枕１の厚み方向を厚さ方向、頸部を乗せる部分１ｃ、後頭部を乗せる部分１ｄ及び頭頂部を乗せる部分１ｅが並ぶ方向を縦方向、厚さ方向及び縦方向の両方に直交する方向を横方向として説明する。また、頭頂部を乗せる部分１ｅに対して頸部を乗せる部分１ｃが設けられる側を手前、頸部を乗せる部分１ｃに対して頭頂部を乗せる部分１ｅが設けられる側を奥とする。これらの方向は、単に説明の便宜上のものであって、本発明の範囲を限定するものではない。
【００２６】
枕１は、枕１の表面を構成する布製の側地３と、枕１内外における空気流通を開閉する吸排気弁（開閉部）４とを備えている。図２に示されるように、側地３の内部には袋体２が収容されており、袋体２には、複数の弾性発泡体５が、袋体２の最大容量に対して圧縮された状態で詰め込まれている。また、弾性発泡体５は、枕１の内部に空気を最大量入れた状態においても圧縮された状態を維持している。弾性発泡体５は、袋体２の中詰材（中芯）として機能する。
【００２７】
ここで、「複数の弾性発泡体５」とは、袋体２の内部に満遍なく入り込み圧縮が可能となる程度の数の弾性発泡体５を示している。袋体２の内部に詰め込まれる弾性発泡体５の数は、例えば２００個以上且つ３００００個以下である。また、複数の弾性発泡体５は、その体積が圧縮比１．５〜５．８程度に圧縮された状態で最大容量となった袋体２に詰め込まれる。ここで、「圧縮比」とは、圧縮されていない状態と袋体２の内部で圧縮された状態とにおける、複数の弾性発泡体５全体としての体積の比を示している。なお、弾性発泡体５を袋体２に詰め込む作業は、手作業で行ってもよいし、ショットガン等の機械によって行ってもよく、弾性発泡体５を袋体２に詰め込む手段は特に限定されない。
【００２８】
袋体２に詰め込まれていない室温常圧下の状態において、弾性発泡体５は、直方体状となっており、好ましくは発泡ウレタンを立方体状（サイコロ状）とした形状となっている。弾性発泡体５はサイコロウレタンとも称される。弾性発泡体５を構成する発泡ウレタンは、表面張力が大きく、引っ張り込まれて変形しやすいという性質を有する。また、各弾性発泡体５の内部には空気が含まれているため、弾性発泡体５の圧縮及び膨張が可能となっている。
【００２９】
非圧縮時における弾性発泡体５の形状を立方体形状とした場合における弾性発泡体５の一辺の長さは、３ｍｍ以上且つ５０ｍｍ以下であることが好ましい。また、本発明に係る寝具が枕１でなく例えばマットレスである場合には、弾性発泡体の一辺の長さは３ｍｍ以上且つ１００ｍｍ以下であることが好ましい。弾性発泡体５の密度は２０ｋｇ／ｍ３以上且つ９０ｋｇ／ｍ３以下であり、弾性発泡体５の硬度は１５Ｎ以上且つ１２０Ｎ以下である。これらの密度及び硬度は、ＪＩＳＫ６４０１に準拠している。なお、袋体２の内部に詰め込まれる弾性発泡体５の重量は、例えば２７０ｇであるが、適宜変更可能である。
【００３０】
側地３は、その内面に内袋７を備えており、内袋７には複数のパイプ材（粒状体）６が収容される。ここで、「複数のパイプ材６」とは、内袋７の内部に満遍なく収容される程度の数のパイプ材６を示している。また、パイプ材６は、円筒状を呈しており、例えばポリエチレン製の中空パイプである。但し、パイプ材６の材料としては、ポリエチレンに限られず、例えば、ポリスチレン、ポリエステル、ポリオレフィン又はポリウレタンを用いることも可能である。パイプ材６の直径は例えば２ｍｍ以上且つ２０ｍｍ以下であり、パイプ材６の軸線方向の長さは例えば５ｍｍ以上且つ２０ｍｍ以下である。
【００３１】
ここで、仮にパイプ材６に代えて綿を内袋７に収容した場合には、側地３が変形しやすくなる。しかしながら、本実施形態では、布製の側地３の内袋７にパイプ材６を収容することによって、パイプ材６の流動性を良好にすると共に側地３の過度な変形を抑制している。
【００３２】
図３に示されるように、袋体２は、扁平で横長な直方体状を呈しており、非通気性シートで構成されている。袋体２の材料としては、ＰＶＣ等のビニル素材が挙げられる。但し、袋体２の材料としては、ＰＶＣに限られず、例えば、ポリウレタン又はポリエステルを用いることも可能である。袋体２は、例えば、１枚の非通気性シートを高周波ウェルダーで熱接着させることによって形成される。なお、非通気性シートを接着剤で貼り合わせることによって袋体２を形成してもよい。また、袋体２は、透明であるが、中身が見えないようにシルバーメタリックのデザイン等が付与されていてもよい。
【００３３】
袋体２の内部空間２ｑは５分割されている。すなわち、袋体２は、枕１の左側の盛り上がった部分１ａを形成する領域２ａと、枕１の右側の盛り上がった部分１ｂを形成する領域２ｂと、枕１の頸部を乗せる部分１ｃを形成する領域２ｃと、後頭部を乗せる部分１ｄを形成する領域２ｄと、頭頂部を乗せる部分１ｅを形成する領域２ｅとを備える。
【００３４】
上記のように、袋体２は、その内部に弾性発泡体５が詰め込まれる複数の領域２ａ〜２ｅを備えており、各領域２ａ〜２ｅに弾性発泡体５が圧縮された状態で詰め込まれる。これにより、枕１の各部分１ａ〜１ｅの盛り上がり具合と、枕１の沈み速度（凹み速度）と、枕１の戻り速度とが定められる。ここで、沈み速度（凹み速度）とは、枕１に後頭部等を乗せることによって単位時間当たりに枕１が薄くなる量を示しており、戻り速度とは、枕１から後頭部等を外すことによって単位時間当たりに枕１が厚くなる量を示している。
【００３５】
また、袋体２の各領域２ａ〜２ｅに詰め込む弾性発泡体５の量を調整することによって、初期状態における枕１の各部分１ａ〜１ｅの形状を調整可能となっている。また、仕切られた領域２ａ〜２ｅのそれぞれに所定数の弾性発泡体５を詰め込むことによって、使用者に適合したよりよい寝心地の枕１を提供することができる。
【００３６】
本実施形態において、枕１の沈み速度は、０．６２ｃｍ／ｓ（ｃｍ／秒）以上且つ２．００ｃｍ／ｓ以下となっており、より好ましくは０．８０ｃｍ／ｓ以上且つ１．１０ｃｍ／ｓ以下である。枕１の戻り速度は、０．２９ｃｍ／ｓ以上且つ０．７３ｃｍ／ｓ以下となっており、より好ましくは０．４０ｃｍ／ｓ以上且つ０．６０ｃｍ／ｓ以下である。
【００３７】
なお、袋体２の各領域２ａ〜２ｅに弾性発泡体５を詰め込んだ後には、袋体２に熱シールを施すことによって袋体２を封止する。しかし、袋体２を封止する方法は熱シールに限定されない。例えば、各領域２ａ〜２ｅにポケットを設けてもよく、ポケット内部の領域２ａ〜２ｅに弾性発泡体５を詰め込んだ後にポケットを閉じることによって袋体２を封止してもよい。このように各領域２ａ〜２ｅに弾性発泡体５を詰め込むための構造や手段は適宜変更することができる。
【００３８】
また、本実施形態では、使用者の頭部と頸部が載置される部分１ｃ〜１ｅを低くすると共に、横方向両側の部分１ａ，１ｂを高くするように弾性発泡体５の量が調整されている。すなわち、領域２ｃ〜２ｅと比較して、領域２ａ，２ｂに詰め込む弾性発泡体５の密度を高くすることにより、部分１ａ，１ｂを部分１ｃ〜１ｅよりも高くしている。このように、横方向両側の部分１ａ，１ｂを部分１ｃ〜１ｅよりも高くすることによって、横方向両側の部分１ａ，１ｂを使用者が横を向いたときの顔のクッションとなるようにしている。
【００３９】
袋体２は、その内部に、前述の各領域２ａ〜２ｅを仕切る４つのマチ部２ｆ，２ｇ，２ｈ，２ｊを有する。各マチ部２ｆ，２ｇ，２ｈ，２ｊは、例えば非通気性シートを袋体２の内部に熱接着させることによって形成される。
【００４０】
マチ部２ｆは、袋体２の左側の領域２ａと、袋体２の横方向中央部分に位置する領域２ｃ〜２ｅとを仕切っており、マチ部２ｇは、袋体２の右側の領域２ｂと、領域２ｃ〜２ｅとを仕切っている。マチ部２ｆ，２ｇは、共に、袋体２の縦方向の全域に亘って延びる板状となっている。
【００４１】
マチ部２ｆは、領域２ａと領域２ｃ〜２ｅとの空気流通を可能とする通気口（通気部）２ｋを備えており、この通気口２ｋは縦方向に５個並んでいる。また、マチ部２ｇは、領域２ｂと領域２ｃ〜２ｅとの空気流通を可能とする通気口２ｍを備えており、この通気口２ｍも縦方向に５個並んでいる。通気口２ｋ，２ｍは共に横方向に貫通している。通気口２ｋ，２ｍの形状は、例えば円形状であるが、これに限られず例えば四角形状であってもよい。また、通気口２ｋ，２ｍの個数も５個に限定されず適宜変更可能である。
【００４２】
マチ部２ｈは、左側の領域２ａと右側の領域２ｂとの間で横方向に延びており、頸部が乗せられる領域２ｃと後頭部が乗せられる領域２ｄとを仕切っている。マチ部２ｊは、マチ部２ｈと同様横方向に延びており、後頭部が乗せられる領域２ｄと頭頂部が乗せられる領域２ｅとを仕切っている。
【００４３】
マチ部２ｈの横方向両側には開口（通気部）２ｎが設けられており、マチ部２ｊの横方向両側にも同様の開口２ｐが設けられている。開口２ｎは、頸部が乗せられる領域２ｃと後頭部が乗せられる領域２ｄとの空気流通を可能としており、開口２ｐは、後頭部が乗せられる領域２ｄと頭頂部が乗せられる領域２ｅとの空気流通を可能としている。また、開口２ｎ，２ｐは弾性発泡体５が通らない程度の大きさとなっており、開口２ｎ，２ｐには空気のみが通れるようになっている。
【００４４】
袋体２の左側の端部には吸排気弁４が設けられており、この吸排気弁４は左側の領域２ａの手前側に設けられている。吸排気弁４の材料としては、例えばＰＶＣ又はポリウレタンを用いることができる。なお、吸排気弁４の材料は、袋体２の材料と同一であることが好ましい。この場合、枕１の製造過程において、吸排気弁４を袋体２に接着しやすくすることができる。
【００４５】
図４に示されるように、吸排気弁４は、袋体２の開口２ｓに取り付けられる取付部４ａと、回転することによって取付部４ａに対して上下に移動可能となっている円柱状の蓋部４ｂとを備えている。取付部４ａは、袋体２の開口２ｓに固着される固着部４ｃと、固着部４ｃにおける袋体２の反対側に位置する台座部４ｄとを有する。
【００４６】
図４（ａ）及び図４（ｂ）に示されるように、吸排気弁４は、回転式となっており、使用者によって回転操作されることにより袋体２の開口２ｓの開放及び閉塞が可能となっている。この吸排気弁４の開放及び閉塞により、枕１の内部の空気量が調整され、枕１の高さが調整される。
【００４７】
具体的には、蓋部４ｂが中心軸線Ｌを中心として一方向（例えば反時計回り）に回転操作されることにより、台座部４ｄに対して蓋部４ｂが上昇し、この蓋部４ｂの上昇に伴って袋体２の開口２ｓが開放される。また、蓋部４ｂが中心軸線Ｌを中心として他方向（例えば時計回り）に回転操作されることにより蓋部４ｂが下降し、蓋部４ｂが台座部４ｄに接触するときに袋体２の開口２ｓが閉塞される。
【００４８】
また、袋体２の開口２ｓに対する吸排気弁４の高さは抑えられている。具体的には、従来の吸排気弁の高さが４０．０ｍｍ程度であるのに対し、吸排気弁４の高さは１５．５ｍｍ程度となっている。このように吸排気弁４の高さを４０．０ｍｍ未満として吸排気弁４の高さを抑えることにより、使用者の身体等が吸排気弁４に当接したり引っ掛かったりする事態を抑制することができる。なお、吸排気弁４を構成する各部品の材料や形状は、上記に限定されず、袋体２内への空気流通の開閉が可能であれば他の材料や形状であってもよい。
【００４９】
図５（ａ）及び図５（ｂ）に示されるように、袋体２を覆う布製の側地３は、横長に延びる長方形状となっている。側地３としては、通気性の良好な素材が用いられる。具体的に、側地３の材料としては、例えば綿又はポリエステルを用いることができる。
【００５０】
側地３は、袋体２を収容する袋状の部分を有すると共に、前述の内袋７を表面３ｂの裏側に有する。側地３の裏面３ａには、袋体２を内部に収容させるためのファスナー８ａが設けられている。ファスナー８ａは、縦方向における側地３の中央部分において、側地３の横方向の全域に亘って延びている。なお、ファスナー８ａが設けられる位置は、縦方向における側地３の中央部分でなくてもよく、例えば縦方向における裏面３ａの上端部分又は下端部分であってもよい。
【００５１】
側地３の表面３ｂの裏側には、前述の内袋７が設けられている。内袋７は、その内部に４つの領域を備えている。具体的には、内袋７は、枕１の左側の部分１ａに対応する領域７ａと、枕１の右側の領域に対応する領域７ｂと、枕１の頸部を乗せる部分１ｃに対応する領域７ｃと、枕１の頭部を乗せる部分１ｄ，１ｅに対応する領域７ｄとを備えている。
【００５２】
このように、側地３の内袋７は、その内部にパイプ材６が収容される４つの領域７ａ〜７ｄを備えており、各領域７ａ〜７ｄにパイプ材６が収容されることによって、側地３の各領域７ａ〜７ｄにおける触感が良好となる。
【００５３】
また、内袋７は、その内部に各領域７ａ〜７ｄを仕切る３つのマチ部７ｅ〜７ｇと、手前側にアーチ状に湾曲したマチ部７ｈとを有する。このようなアーチ状のマチ部７ｈを有することにより、マチ部７ｈに使用者の後頭部が乗せられたときに、その後頭部を枕１に収まりやすくすることができる。
【００５４】
また、各マチ部７ｅ〜７ｈは、例えば布を縫い込むことによって形成されており、各マチ部７ｅ〜７ｈを形成する縫い代が側地３の表面３ｂに形成されている。なお、各領域７ａ〜７ｄに収容されたパイプ材６は、マチ部７ｅ〜７ｈを超えることができない。
【００５５】
マチ部７ｅは、左側の領域７ａと、横方向中央部分に位置する領域７ｃ，７ｄとを仕切っており、マチ部７ｆは、側地３の右側の領域７ｂと、領域７ｃ，７ｄとを仕切っている。マチ部７ｅ，７ｆは、共に、側地３の縦方向の全域に亘って延びている。マチ部７ｇは、手前側の領域７ｃと奥側の領域７ｄとを仕切っており、左側のマチ部７ｅと右側のマチ部７ｆとの間で横方向に全域に亘って延びている。マチ部７ｈは、側地３の略中央部分において手前側に湾曲した形状となっている。
【００５６】
また、側地３の内袋７の各領域７ａ〜７ｄには、パイプ材６を収容させるためのファスナー８ｂ〜８ｅが設けられている。ファスナー８ｂ〜８ｅは、側地３の表面３ｂの裏側において横方向に延びている。各ファスナー８ｂ〜８ｅを開けてパイプ材６を各領域７ａ〜７ｄに入れることが可能となっており、各領域７ａ〜７ｄに収容するパイプ材６の量を調整することによって、枕１の各部分１ａ〜１ｅの触感を使用者の好みに応じて調整可能となっている。
【００５７】
次に、枕１の使用方法の一例について簡単に説明する。まず、枕１に何も乗せない状態で使用者が吸排気弁４の蓋部４ｂを一方向に回転操作することにより袋体２の開口２ｓを開放し、袋体２の内部空間２ｑに空気を流入させて枕１の高さをゆっくりと高くする。そして、蓋部４ｂを他方向に回転操作することによって袋体２の開口２ｓを閉塞させる。
【００５８】
上記のように袋体２の開口２ｓを閉塞した状態で使用者の頭部及び頸部を枕１に乗せて枕１に外力を与える。この状態で吸排気弁４の蓋部４ｂを再度一方向に回転操作することによって袋体２の開口２ｓを開放し、袋体２の内部空間２ｑから空気を流出させて枕１をゆっくりと沈める。そして、使用者にとって枕１の高さが丁度良い高さにまで沈んだときに、再度蓋部４ｂを他方向に回転操作することによって袋体２の開口２ｓを閉塞し、枕１の高さを所望の高さで維持させる。このようにして枕１は使用者にとって最適な高さとなる。
【００５９】
次に、本実施形態に係る枕１によって得られる効果について説明する。
【００６０】
枕１は、使用者が自分で吸排気弁４を操作することによって枕１の高さを所望の高さとすることができる。従って、使用者の特性に応じた枕の製造が不要となるため、枕の製造にかかる手間とコストを抑えることができる。また、複数の弾性発泡体５が、袋体２が最大容量となったときに、その体積が圧縮比１．５〜５．８に圧縮された状態になるように袋体２に詰め込まれている。よって、袋体２に外力を付与して枕１の高さを低くするときに複数の弾性発泡体５による反発力が発生する。このように袋体２に外力を付与したときに弾性発泡体５による反発力が発生するので、枕１をゆっくりと低くすることができる。また、袋体２の内部に空気を流入させて枕１を高くするときには、流入した空気が圧縮された弾性発泡体５の間を通ってゆっくりと袋体２の内部空間２ｑに入っていく。従って、袋体２の内部空間２ｑへの空気の流入をゆっくりと行うことができるので、枕１をゆっくりと高くすることができる。
【００６１】
このように、枕１をゆっくりと高くしたり低くしたりすることができるので、高さの微調整を容易に行うことができる。従って、枕１が使用者にとって最適な高さとなっているか否かがわかりやすく使用者が高さ調整機能を有効利用できるので、使用者それぞれに適合した寝心地の良い枕１を提供することができる。更に、ホテル等の宿泊施設で複数の使用者が一つの枕１を使うようなときであっても、各使用者にとって最適な枕１の高さとすることができる。
【００６２】
また、枕１では、沈み速度（凹み速度）が０．６２ｃｍ／ｓ以上且つ２．００ｃｍ／ｓ以下、且つ、戻り速度が０．２９ｃｍ／ｓ以上且つ０．７３ｃｍ／ｓ以下となるように弾性発泡体５の量が調整される。ここで、仮に沈み速度が０．６２ｃｍ／ｓ未満又は戻り速度が０．２９ｃｍ／ｓ未満である場合には、速度が遅すぎるので枕の高さが調整されているのか否かがわかりにくいという問題がある。また、沈み速度が２．００ｃｍ／ｓよりも速いか又は戻り速度が０．７３ｃｍ／ｓよりも速い場合には、速度が速すぎるので微調整が困難となり高さ調整の操作が難しいという問題が生じる。
【００６３】
これに対し、枕１では、前述のように、凹み速度が０．６２ｃｍ／ｓ以上且つ２．００ｃｍ／ｓ以下、且つ、戻り速度が０．２９ｃｍ／ｓ以上且つ０．７３ｃｍ／ｓ以下となっており、各速度が適切な値となっている。従って、微調整を容易に行うことができ、使用者が自分で簡単に寝心地を良くすることができる。
【００６４】
また、枕１では、マチ部２ｆ，２ｇ，２ｈ，２ｊが袋体２の内部空間２ｑを仕切っており、マチ部２ｆ，２ｇ，２ｈ，２ｊによって仕切られた領域２ａ〜２ｅのそれぞれに複数の弾性発泡体５が圧縮された状態で詰め込まれる。従って、袋体２に弾性発泡体５が膨張する力が働くため、袋体２は、マチ部２ｆ，２ｇ，２ｈ，２ｊを始点として膨らんだ形状となる。よって、使用者の頭部及び頸部を乗せたときの弾力性を高めることができるので、使用者の寝心地を良くすることができる。
【００６５】
更に、マチ部２ｆは袋体２の内部空間２ｑの空気が領域２ａと領域２ｃ〜２ｅとの間で流通する通気口２ｋを有し、マチ部２ｇは内部空間２ｑの空気が領域２ｂと領域２ｃ〜２ｅとの間で流通する通気口２ｍを有する。また、マチ部２ｈは内部空間２ｑの空気が領域２ｃと領域２ｄとの間で流通する開口２ｎを有し、マチ部２ｊは内部空間２ｑの空気が領域２ｄと領域２ｅとの間で流通する開口２ｐを有する。
【００６６】
このような通気口２ｋ，２ｍ及び開口２ｎ，２ｐを有することにより、領域２ａ〜２ｅ間で空気が流通することとなり、袋体２の内部空間２ｑにおける空気を領域２ａ〜２ｅ間に行き渡らせることができる。従って、領域２ａ〜２ｅのそれぞれに対する枕１の高さ調整が可能となる。更に、マチ部２ｆ，２ｇ，２ｈ，２ｊを介して領域２ａ〜２ｅ間で空気が流通するので、各領域２ａ〜２ｅにおける空気量を最適な量とすることが可能となる。よって、使用者の頸部が乗る部分１ｃと後頭部が乗る部分１ｄと頭頂部が乗る部分１ｅとの高さを個別に調整することが可能となるので、一層良い寝心地の提供が可能となる。
【００６７】
また、弾性発泡体５は、直方体状となっている。このように弾性発泡体５の形状を直方体状とすることにより、弾性発泡体５の製造及び加工を容易に行うことができる。
【００６８】
また、弾性発泡体５は、一辺の長さが３ｍｍ以上且つ１００ｍｍ以下の立方体状となっている。ここで、仮に、弾性発泡体の一辺の長さが３ｍｍ未満である場合には、弾性発泡体が細かすぎるので取扱いが面倒である。具体的には、弾性発泡体を細かくカットする作業等に手間やコストがかかり、静電気防止加工も必要であるため、面倒でコストがかかるという問題がある。
【００６９】
また、弾性発泡体の一辺の長さが１００ｍｍよりも長い場合には、弾性発泡体が大きすぎるので、触感が良くなく且つ袋体の内部に弾性発泡体を収容させる作業が面倒になるという問題がある。すなわち、寝心地の劣化が懸念される上に弾性発泡体の収容作業の作業性が低下する問題が生じうる。
【００７０】
これに対し、本実施形態に係る弾性発泡体は、一辺の長さが３ｍｍ以上且つ１００ｍｍ以下の立方体状となっているので、弾性発泡体の製造及び加工を一層容易に行うことができる。また、袋体に収容される弾性発泡体の一辺の長さを３ｍｍ以上且つ１００ｍｍ以下とすることにより、袋体の触感を良好にすることができると共に、弾性発泡体を袋体に収容する作業を効率よく行うことができる。
【００７１】
また、吸排気弁４は、袋体２から突出すると共に回転操作が可能となっており、吸排気弁４が一方向に回転されると空気流通が開放され、一方向とは反対の他方向に回転されると空気流通が閉塞される。このように吸排気弁４を袋体２から突出した形状にすると共に吸排気弁４を回転操作可能とすることにより、片手で吸排気弁４を掴んで回すだけで簡単に高さ調整を行うことができる。すなわち、枕１における空気調整の仕方が分かりやすく使いやすい枕とすることができる。
【００７２】
また、使用者の頭部及び頸部を枕１に乗せた状態で高さ調整を行うことも可能となるので、枕１の高さ調整を一層容易に行うことができる。更に、吸排気弁４は、使用者の肩に近い頸部側に設けられる。従って、使用者は枕１に頭部を乗せ、腕を曲げた状態で吸排気弁４を触るだけで簡単に吸排気弁４を回転操作することができるので、吸排気弁４の片手による回転操作を一層容易に行うことができる。
【００７３】
また、枕１は、袋体２を覆う布製の側地３を備えている。袋体２が布製の側地３に覆われることにより、使用者の頭部及び頸部は布製の側地３に触れることになる。ここで、仮に布製の側地３が無い場合には、ビニル素材の袋体２だけとなるので、使用時に蒸れる可能性がある。これに対し、本実施形態では、袋体２を覆う側地３を備えているので、内部の袋体２の材料に拘わらず枕１の触感を良好にすることができる。また、側地３を布製とすることにより枕１の通気性を良くすることができるので、枕１の使用時における蒸れを抑制することも可能となる。
【００７４】
また、側地３は、内袋７を有し、内袋７の内部には、複数のパイプ材６が収容されている。従って、外側から側地３を触ったときの触感を一層良好にすることができるので、寝心地の一層の向上に寄与する。
【００７５】
（第２実施形態）
次に、図６を参照しながら第２実施形態に係る枕の側地１３について説明する。第２実施形態に係る枕は、第１実施形態の側地３に代えて側地１３を備えている点以外は、第１実施形態と同一である。以下では、第１実施形態と重複する説明を省略する。
【００７６】
側地１３は、その表面１３ａにシート状ウレタン１６を収容する内袋１７を備えている。シート状ウレタン１６は、内袋１７の内部において、表面１３ａのほぼ全域に亘って延在している。内袋１７の縦方向の端部には、内袋１７にシート状ウレタン１６を出し入れするためのファスナー１８ａが設けられており、このファスナー１８ａは側地１３の横方向の全域に亘って延びている。
【００７７】
また、側地１３の裏面１３ｂには、袋体２を内部に収容させるためのファスナー１８ｂが設けられている。ファスナー１８ｂは、縦方向における裏面１３ｂの中央部分において、側地１３の横方向の全域に亘って延びている。なお、ファスナー１８ａ，１８ｂが設けられる位置は、上記に限定されず適宜変更可能である。
【００７８】
以上、第２実施形態に係る枕は、パイプ材６を収容する内袋７に代えて、シート状ウレタン１６を収容する内袋１７を備えている。このような第２実施形態に係る枕では、第１実施形態と同様の効果が得られる。更に、第２実施形態に係る枕では、簡単にシート状ウレタン１６を内袋１７に入れることができ、沈み速度及び戻り速度の調整を容易に行えるといった効果も得られる。
【００７９】
（第３実施形態）
次に、図７（ａ）及び図７（ｂ）を参照しながら第３実施形態に係るクッション３１について説明する。クッション３１の内部構成は枕１の内部構成と同様となっている。よって、第１実施形態の枕１と共通する部分については記載を適宜省略して説明を行う。図７（ａ）に示されるように、クッション３１は、例えば、その平面形状が正方形状であって中央が膨らんでいる。図７（ａ）及び図７（ｂ）に示されるように、クッション３１は、袋体２と同様の材料で構成される袋体３２と、側地３と同様の材料で構成される側地３３と、吸排気弁４と、弾性発泡体５と、パイプ材６とを備えている。側地３３の内側には、内袋７と同様の内袋３７が設けられている。
【００８０】
袋体３２では、吸排気弁４による空気流通を開放した状態で外力が付与されることによって袋体３２の内部空間から空気が流出する。この空気の流出で袋体３２が薄くなることによってクッション３１は厚さ調整可能となっている。袋体３２の内部における弾性発泡体５は、第１実施形態と同様、袋体３２が最大容量であるときに、その体積が圧縮比１．５〜５．８に圧縮された状態となるように袋体３２に詰め込まれている。また、クッション３１の凹み速度は０．６２ｃｍ／ｓ以上且つ２．００ｃｍ／ｓ以下となっており、クッション３１の戻り速度は０．２９ｃｍ／ｓ以上且つ０．７３ｃｍ／ｓ以下となっている。
【００８１】
以上のように、第３実施形態に係るクッション３１は、第１実施形態に係る枕１と同様の構成を備えている。従って、第１実施形態に係る枕１と同様の効果、すなわち、製造にかかる手間やコストを抑えつつ厚さの調整を容易に行うことができ、使用者それぞれに適合した寝心地の良いクッションを提供できるという効果が得られる。
【００８２】
以上、本発明の実施形態について説明したが、本発明は、前述した実施形態に限られるものではなく、各請求項に記載した要旨を変更しない範囲で変形し、又は他のものに適用したものであってもよい。すなわち、本発明は、特許請求の範囲に記載した要旨を変更しない範囲で種々の変形が可能である。
【００８３】
例えば、前述した実施形態では、枕１における弾性発泡体５の一辺の長さが３ｍｍ以上且つ５０ｍｍ以下である例について説明したが、弾性発泡体の一辺の長さを前述の範囲以外の値とすることも可能である。また、弾性発泡体５の形状は、立方体でなくてもよく適宜変更可能である。例えば、立方体の弾性発泡体５に代えて、破砕状又は球状の弾性発泡体を用いてもよい。ここで、破砕状の弾性発泡体とは、例えば不要となった弾性発泡体の塊を粉砕機等によって破砕した端材を示している。
【００８４】
また、前述した実施形態では、弾性発泡体５が発泡ウレタンで構成されている例について説明した。しかしながら、弾性発泡体５の材料としては、ウレタン以外のものを用いることも可能である。例えば、ウレタン製の弾性発泡体５に代えて、ポリエステル、シリコン、又はニトリルゴム（ＮＢＲ）などのゴム製の弾性発泡体を用いてもよい。
【００８５】
また、前述した実施形態では、枕１が回転操作可能な吸排気弁４を備える例について説明した。しかしながら、袋体２の内外の空気流通を開閉する開閉部としては、吸排気弁４以外のものを用いることも可能である。例えば、吸排気弁４に代えて、スライド式の開閉部を備えていてもよい。この場合、例えば開閉部を一方向にスライド移動させることによって袋体２の開口２ｓを開放し、開閉部を他方向にスライド移動させることによって袋体２の開口２ｓを閉塞させる例が挙げられる。
【００８６】
また、前述した実施形態では、枕１が１個の吸排気弁４を備えていたが、２個以上の吸排気弁４を備えていてもよい。更に、袋体２の内部空間２ｑを、頸部側（手前側）の領域と後頭部側（奥側）の領域とに分けて、それぞれの領域に吸排気弁４を設けてもよい。この場合、頸部側の領域における枕の高さ調整と、後頭部側の領域における枕の高さ調整とを個別に行うことが可能となる。
【００８７】
また、前述した実施形態では、側地３の内袋７にパイプ材６が収容される例について説明した。しかしながら、内袋７に収容する粒状体としては、パイプ材６以外のものを用いることも可能である。例えば、パイプ材６に代えて、ビーズ、天然素材のそばがら又は粒わたを内袋７に収容してもよい。
【００８８】
また、前述した実施形態では、マチ部２ｆ，２ｇがそれぞれ５個の通気口２ｋ，２ｍを備え、マチ部２ｊ，２ｈがそれぞれの両側に開口２ｎ，２ｐを備えていた。しかしながら、マチ部が有する通気部の形状、大きさ及び個数は、上記通気口２ｋ，２ｍ又は開口２ｎ，２ｐに限定されず適宜変更可能である。更に、マチ部の数、形状及び配置態様についても適宜変更可能であり、マチ部を省略してもよい。
【００８９】
また、前述した実施形態では、本発明に係る寝具が枕１である例について説明した。しかしながら、本発明は、枕１又はクッション３１に限定されず、種々の寝具又はクッションに適用させることができる。例えば、本発明に係る寝具は、背もたれ、介護用の椅子、敷物又は敷き寝具等であってもよい。
【００９０】
（実施例）
前述した実施形態では、袋体の内部の弾性発泡体に工夫を凝らすことによって、使用者の後頭部及び頸部を寝具又はクッションに乗せたときの凹み速度、及び使用者の後頭部及び頸部を寝具又はクッションから外したときの戻り速度が調整される。すなわち、弾性発泡体の圧縮比を調整することにより、凹み速度と戻り速度とがコントロールされる。以下では、図８〜図１０を参照しながら、第１実施形態の枕１の実施例について説明する。なお、本発明は、下記の実施例に限定されるものではない。
【００９１】
図８に示されるように、この実施例の実験では、中央に孔部２１ａを有する円板２１と、円板２１の孔部２１ａに通される棒状部２２ａ、及び棒状部２２ａの下端に位置して枕１を上から押圧する押圧板２２ｂを有する押圧部材２２と、を備えた測定装置２０を用いた。円板２１は、使用者の頭部を想定した重りであって、頭部と枕１との接触面積、及び頭部の重量に対応した大きさ及び重さとなっている。円板２１の直径は１７．５ｃｍ、円板２１の重量は５．０ｋｇである。この実験では、円板２１を枕１の一番膨らんだ部分１ａに乗せ、枕１の静止高さと沈み高さとを測定した。
【００９２】
枕１の静止高さとは、例えば図８（ａ）に示されるように、測定装置２０を乗せる前（何も枕１に乗せておらず枕１に外力を付与していない状態）における枕１の高さＨ１（単位：ｃｍ）を示している。一方、枕１の沈み高さとは、例えば図８（ｂ）に示されるように、測定装置２０を載せてから枕１の沈み量が安定するまでの沈み時間（単位：ｓ）をストップウォッチで計測し、沈み時間となったときの枕１の高さＨ２（単位：ｃｍ）を示している。
【００９３】
この実験では、（静止高さ−沈み高さ）／沈み時間の式を用いて沈み速度（単位：ｃｍ／ｓ）を算出した。更に、測定装置２０を枕１から離して枕１の戻り時間（単位：ｓ）を算出した。この戻り時間は、測定装置２０を離してから枕１の高さが静止高さに戻るまでの時間を示している。また、（静止高さ−沈み高さ）／戻り時間の式を用いて戻り速度（単位：ｃｍ／ｓ）を算出した。
【００９４】
この実験において、枕１には、ウレタン製の立方体状の弾性発泡体５を用いた。圧縮前の弾性発泡体５の体積は、３９ｃｍ×３９ｃｍ×３９ｃｍ（５９３１９ｃｃ）の箱状の計量ボックス（アクリルボックス）を用いて測定した。すなわち計量ボックスに一杯に弾性発泡体５を敷き詰めて非圧縮時の弾性発泡体５の体積を測定し、その後弾性発泡体５を圧縮させて袋体２に詰め込んだ。パイプ材６としては、ポリエチレン製の円筒状のものを用いた。また、弾性発泡体５の一辺の長さを４０ｍｍ、袋体２内の弾性発泡体５の重量を２７０ｇ、袋体２内の弾性発泡体５の個数を２１０個、弾性発泡体５の硬度を２０Ｎ、弾性発泡体５の密度を２０ｋｇ／ｍ３とした。これらの密度及び硬度は、ＪＩＳＫ６４０１に準拠している。
【００９５】
最大容量の状態において、袋体２の横の長さは５８ｃｍ、縦の長さは４３ｃｍ、高さは５ｃｍとし、袋体２の体積を１２４７０ｃｃとした。袋体２に詰められる弾性発泡体５の圧縮比は、圧縮されていない状態（計量ボックスに敷き詰められた状態）と袋体２の内部で圧縮された状態とにおける弾性発泡体５の体積の比であり、図９及び図１０に示されるように、圧縮比を変更しながら静止高さ、沈み高さ、沈み時間、戻り時間、沈み速度及び戻り速度を算出した。
【００９６】
図９及び図１０に示されるように、沈み速度については、圧縮比が１．０〜１．２のときに２２．０４ｃｍ／ｓと非常に速くなり、圧縮比が１．３、１．４のときに、それぞれ２．８４ｃｍ／ｓ、２．０６ｃｍ／ｓとなり多少速いことが分かった。そして、圧縮比が１．５〜５．８のときには、沈み速度が０．６２ｃｍ／ｓ以上且つ２．００ｃｍ／ｓ以下となり好ましい値になった。また、圧縮比が６．１〜６．８のときに沈み速度は０．５６ｃｍ／ｓ〜０．６０ｃｍ／ｓと多少遅くなり、圧縮比が７．１以上のときには沈み高さが高く適正な枕の状態となっていないことが分かったので図１０への値の記載を省略している。
【００９７】
一方、戻り速度については、圧縮比が１．０〜１．２のときに２．２０ｃｍ／ｓと非常に速くなり、圧縮比が１．３、１．４のときに、それぞれ１．０８ｃｍ／ｓ、１．００ｃｍ／ｓとなり多少速かった。そして、圧縮比が１．５〜６．８のときに、戻り速度は、０．２９ｃｍ／ｓ〜０．７３ｃｍ／ｓとなり好ましい値となった。なお、前述のように圧縮比が７．１以上のときには沈み高さが高く適正な枕の状態となっていないので図１０への値の記載を省略している。
【００９８】
以上より、弾性発泡体５の圧縮比を１．５〜５．８程度に圧縮して袋体２に詰め込んだ場合に、枕１の沈み速度が０．６２ｃｍ／ｓ以上且つ２．００ｃｍ／ｓ以下となり、枕１の戻り速度が０．２９ｃｍ／ｓ以上且つ０．７３ｃｍ／ｓ以下となり、沈み速度及び戻り速度が好ましい値になることが分かった。
【００９９】
弾性発泡体５の圧縮比が１．３以下である場合には、袋体２の最大容量に対する弾性発泡体５間の空気の割合（以下、空隙率という）が大きいので、沈み速度及び戻り速度が速くなったと考えられる。また、弾性発泡体５の圧縮比を高めて圧縮比を１．５〜５．８とした場合には、空隙率が小さくなり袋体２内における弾性発泡体５の反発力が強くなるので、沈み速度及び戻り速度が遅くなると考えられる。
【０１００】
また、沈み高さは、圧縮比が１．０〜６．８の場合には、圧縮比の増加に伴って高くなることが分かった。一方、静止高さは、圧縮比が１．０〜４．８の場合には圧縮比の増加に伴って高くなるが、圧縮比が５．１〜７．１の場合には１２．５〜１３．３程度で安定することが分かった。
【符号の説明】
【０１０１】
１…枕（寝具）、１ａ〜１ｅ…部分、２…袋体、２ａ〜２ｅ…領域、２ｆ，２ｇ，２ｈ，２ｊ…マチ部、２ｋ，２ｍ…通気口（通気部）、２ｎ，２ｐ…開口（通気部）、２ｑ…内部空間、２ｓ…開口、３，１３…側地、３ａ，１３ｂ…裏面、３ｂ，１３ａ…表面、４…吸排気弁（開閉部）、４ａ…取付部、４ｂ…蓋部、４ｃ…固着部、４ｄ…台座部、５…弾性発泡体、６…パイプ材（粒状体）、７，１７…内袋、７ａ〜７ｄ…領域、７ｅ〜７ｈ…マチ部、８ａ〜８ｅ，１８ａ，１８ｂ…ファスナー、１６…シート状ウレタン、２０…測定装置、２１…円板、２１ａ…孔部、２２…押圧部材、２２ａ…棒状部、２２ｂ…押圧板、３１…クッション、３２…袋体、３３…側地、Ｌ…中心軸線。
【図１】
2016123545.tif 000003
【図２】
2016123545.tif 000004
【図３】
2016123545.tif 000005
【図４】
2016123545.tif 000006
【図５】
2016123545.tif 000007
【図６】
2016123545.tif 000008
【図７】
2016123545.tif 000009
【図８】
2016123545.tif 000010
【図９】
2016123545.tif 000011
【図１０】
2016123545.tif 000012